(57)【要約】      （修正有）【課題】１つのごみ箱で燃やせるごみとプラごみをその場で分別することを可能とするごみ箱シートを提供する。【解決手段】ごみ箱シートは、柔軟且つ反発性を有し、厚さが０．１〜５ｍｍであり、組み立ててごみ箱となる。２箇所以上の接続部２と、レジ袋引っ掛け部３と、吊り下げ穴部４と、サイズ調整部５を有する。【選択図】図１
0003178007.tif 000002
【実用新案登録請求の範囲】
【請求項１】
プラスチック、ダンボール、厚紙、金属、木材のいずれからなり、柔軟且つ反発性を有する厚さが０．１〜５ｍｍである組み立ててごみ箱となるごみ箱シートであって、シート間で組み立てる為の接続部、レジ袋引っ掛け部、吊り下げ穴部、サイズ調整部を有し、縦１２〜５０ｃｍ、横４５〜２００ｃｍの長方形状であり、Ｓ字に曲げることにより中央部を仕切りとし、独立置型または吊り下げ型、あるいは既存筒型ごみ箱装着式仕切りとして組み立てて使用することを特徴としたごみ箱シート。
【考案の詳細な説明】
【技術分野】
【０００１】
本考案は、柔軟且つ反発性を持った薄い素材の長方形状シートをＳ字に曲げ、そこに生まれた中央部分を仕切りとして使うことができる簡易組み立て式ごみ箱に関するものである。
【背景技術】
【０００２】
すでに流通している家庭用プラスチックごみ箱（サイズ  主に約底辺直径１４〜１７cm、高さ２１〜２５ｃｍ）は、家庭内リビング・子供部屋・寝室・洗面所、オフィス、病院・介護施設のベッドサイド、ホテル客室、車内など幅広く活用され、最近ではカラフル且つスタイリッシュなごみ箱を手軽に購入することが出来るため、実用上十分であった。
【０００３】
しかし、昨今各都道府県市町村では資源循環型社会の形成を目指し、リサイクルの更なる推進を図っており、新たなごみの分別収集に取り組んでいるため、プラスチック製容器包装類、すなわちプラマークのついているもの全てを燃やせるごみと分別する必要があり、既存の筒型ごみ箱では捨てるときにその場で分別することができないという問題点があった。
【０００４】
一世帯あたり個人差はあるにせよ、推測するに２個〜６個、オフィス、病院、介護施設、ホテル客室では数十個〜数百個のごみ箱の中身を収集し、まとめているのが現状と思われるが、全てのごみ箱の中身を収集後再び燃やせるごみとプラスチックごみを分別するというのは無駄な作業であるし、その手間が故分別しないまま収集場所にごみを出してしまう問題や、従来のごみ箱は使わない時も立体的で場所をとる問題点があった。
特許文献１には、ごみ箱の中を仕切るシートが開示されているが、独立で組み立ててごみ箱として使用できるごみ箱シートが求められていた。
【先行技術文献】
【特許文献】
【０００５】
【特許文献１】EP１５２８０１５号公報
【考案の概要】
【考案が解決しようとする課題】
【０００６】
本考案は、省スペースでごみを分別廃棄できるごみ箱シートを提供することにある。
【課題を解決するための手段】
【０００７】
本考案は、
（１）プラスッチック、ダンボール、厚紙、金属、木材のいずれからなり、柔軟且つ反発性を有する厚さが０．１〜５ｍｍである組み立ててごみ箱となるごみ箱シートであって、シート間で組み立てる為の接続部、レジ袋引っ掛け部、吊り下げ穴部、サイズ調整部を有し、縦１２〜５０ｃｍ、横４５〜２００ｃｍの長方形状であり、Ｓ字に曲げることにより中央部分を仕切りとし、独立置型または吊り下げ型、あるいは既存筒型ごみ箱装着式仕切りとして組み立てて使用することを特徴とするごみ箱シート
である。
【０００８】
本考案に用いるプラスッチックシートは、ポリエスチレン、ポリプロピレン、ポリオキシメチレン、ポリエチレン、サンライン（ポリエチレン網）、塩化ビニール、ポリカーボネイト、アクリル、ポリエステル、スチレンペーパー、合成樹脂からなる。
ダンボールシートは、波型に成形した中芯の片面または両面にダンボール用紙を張ったものやダンプレートである。本考案シートをＳ字に曲げて組み立てるので片面張りが好ましい。
【０００９】
厚紙は、立体工作に便利な厚手の工作用紙、板紙、ケント紙、コートボール、グレーボールからなることが好ましい。
金属シートは、アルミ板、アルミパンチング板、銅板、真ちゅう板、ステンレス板、ステンレス金網、パンチングペーパーからなることが好ましい。木材シートは、木製パネル、コルクシート、パルサ材、籐からなることが好ましい。
これらのいずれも厚さは０．１〜５ｍｍであることが必要であり、好ましくは０．５〜２．５ｍｍである。  
【００１０】
シート間で組み立てる為の接続部は、図１に示した２の部分であり、１の左右たてサイドからそれぞれ中央方向に進んだ位置に縦方向等間隔で２箇所もしくはサイズや素材によってそれ以上設けることが好ましい。形は固定時に安定して抜けにくいことを前提とし、先端へ向かって広がりを持たせたもの。接続部の根元と上辺との長さの割合は１対２もしくは素材によってそれ以上が好ましい。
【００１１】
レジ袋、またはペール式ポリエスチレン袋の脱落防止の為のレジ袋引っ掛け部は、図１に示す３であり、１の上辺から下方向に５ｃｍの位置で左右、中央の３か所設けることが好ましい。形はいずれも３ｃｍ以上の半円様か台形が好ましい。
吊り下げて活用する為の吊り下げ穴部は、図１に示した４であり、１の上辺から下方向に例えば３ｃｍの位置で中央から左寄りもしくは右寄りに１か所設けることが好ましい。穴の直径はＳ字フックの太さに対応できる大きさが好ましい。
シート間で組み立てる為の接合部分である調整部は、  図１に示す５であり、左右縦サイドからそれぞれたて４分の１ずつ進んだ位置で、高さは２と等しく、定めた点を中心に５箇所の調節箇所を設けることが好ましい。これは使用者のニーズに応じてサイズの調整を可能とするものである。切り込みの長さは２の根元の長さの１〜１．５倍が好ましい。
【考案の効果】
【００１２】
本考案のごみ箱は、組み立て方法も簡単で、子どもからお年寄りまで、日常の何気ないごみを捨てるという作業で燃やせるごみとプラスッチックごみの分別廃棄ができ、使用しない時には省スペースで保管可能である。また既存の筒型ごみ箱に装着して仕切りとしても使用できるという効果を有する。  
【図面の簡単な説明】
【００１３】
【図１】図１はごみ箱の展開図。
【図２】図２はＳ字組み立て方法を上から見て示した説明図。
【図３】図３はごみ箱を側面から見て、レジ袋を掛けて示した説明図。
【考案を実施するための形態】
【００１４】
本考案を実施例でもって説明する。
【実施例１】
【００１５】
図２は本考案ごみ箱シートを組み立て、上部から見て示した。
シート素材         片面張りダンボール
サイズ             縦５０ｃｍ、横２００ｃｍ、厚さ３．５ｍｍ
ペール型ごみ袋     ４５リットル
実施場所           屋外バーべキュー
組み立てて使用したところ、ごみの分別廃棄にきわめて便利であった。
【実施例２】
【００１６】
図３は本考案ごみ箱シートを組み立て、側面から見て示した。
シート素材         ポリプロピレン
サイズ             縦２０ｃｍ、横７０ｃｍ、厚さ０．７ｍｍ
レジ袋             Ｓサイズ
実施場所           子供部屋、洗面所（独立置型）、リビング（既存筒型ごみ箱装着式仕切り）、車内、寝室（吊り下げ型）
などで使用することが出来た。
【産業上の利用可能性】
【００１７】
本考案のシートは収納スペースが少なく済み、必要に応じてごみを分別廃棄することのできるごみ箱シートとして用いることが出来る。
【符号の説明】
【００１８】
１    ごみ箱シート    
２    接続部
３    レジ袋引っ掛け部
４    吊り下げ穴部
５    サイズ調整部    
【図１】
0003178007.tif 000003
【図２】
0003178007.tif 000004
【図３】
0003178007.tif 000005
【手続補正書】
【提出日】平成24年6月27日(2012.6.27)
【手続補正１】
【補正対象書類名】実用新案登録請求の範囲
【補正対象項目名】全文
【補正方法】変更
【補正の内容】
【実用新案登録請求の範囲】
【請求項１】
プラスチック、ダンボール、厚紙、金属、木材のいずれからなり、柔軟且つ反発性を有する厚さが０．１〜５ｍｍである組み立ててごみ箱となるごみ箱シートであって、シート間で組み立てる為の左右たてサイドからそれぞれ中央方向に進んだ位置に縦方向等間隔で２箇所以上設け、先端へ向かって広がりを持たせ、根元と上辺との長さの割合を１対２とした接続部２、上辺から下方向の位置で半円様か台形のレジ袋引っ掛け部３、上辺から下方向に中央から左寄りもしくは右寄りに１か所設けた吊り下げ穴部４、左右縦サイドからそれぞれ縦４分の１ずつ進んだ位置で、高さは接続部と等しく、定めた点を中心に設けた調節箇所であるサイズ調整部５を有し、縦１２〜５０ｃｍ、横４５〜２００ｃｍの長方形状であり、独立置型または吊り下げ型、あるいは既存筒型ごみ箱装着式仕切りとして組み立てて使用することを特徴としたごみ箱シート。